(57)【要約】【課題】使用開始前の被包装物の品質保持性の高い再封性を有する包装袋を提供する。【解決手段】表フィルムと裏フィルムを重ね合わせ、周縁部をシールした袋本体の天シール部３の下方に天シール部と略平行な袋側易切断線７を設け、表フィルムには、袋側易切断線にかかるように易剥離加工部８を設けて、易剥離加工部の上方から下方に渡るように粘着ラベル９を貼着し、粘着ラベルにラベル側易切断線１０が袋側易切断線より上方で且つ易剥離加工部に重なるように設けられている。【選択図】図１
2017077913.tif 000002
【特許請求の範囲】
【請求項１】
表フィルムと裏フィルムを重ね合わせ、周縁部をシールした袋本体に袋側易切断線を設け、表フィルムと裏フィルムのいずれか一方には、前記袋側易切断線にかかるように易剥離加工部を設け、前記易剥離加工部の上方から前記袋側易切断線をはさんで前記易剥離加工部の下方に渡るように粘着ラベルを貼着し、
前記粘着ラベルには、ラベル側易切断線が前記袋側易切断線より上方で且つ前記易剥離加工部に重なるように設けられていることを特徴とする再封性を有する包装袋。
【請求項２】
前記袋側易切断線が、袋本体の天シール部と略平行に設けられていることを特徴とする請求項１に記載の再封性を有する包装袋。
【請求項３】
前記袋側易切断線が、袋本体の左サイドシール部または右サイドシール部から天シール部を結ぶように設けられていることを特徴とする請求項１に記載の再封性を有する包装袋。
【請求項４】
前記粘着ラベルの幅が包装袋の幅より狭いことを特徴とする請求項１から３のいずれか１項に記載の再封性を有する包装袋。
【発明の詳細な説明】
【技術分野】
【０００１】
本発明は、再封性を有する包装袋に関するものである。特に、袋の開口部を下に向けて折り、粘着部で止めて再封する再封性を有する包装袋に関するものである。
【背景技術】
【０００２】
開封後再封することのできる包装袋としては、包装袋の一方の面に開口部となる切れ込みを設けておいてその上を粘着ラベルで覆った包装袋が、ウエットティッシュなどの包装によく用いられている。
【０００３】
例えば、特許文献１には、被包装物を、非通気性のシート状包装材をもって密包するとともに、包装材の上片に、ほぼＵ字状の切込み線を付設し、かつその上面に、前記包装材より硬質のシート材料よりなり、かつ中央部に前記Ｕ字状の切込み線の端末部を除く部分より大寸の開口が形成された硬質シートを固着し、さらにその上方より、前記開口を覆う寸法のシート状外蓋を、接着剤をもって、前記硬質シートの上面及び硬質シートの開口より上方に臨む包装材の上面に、剥離可能でかつ再接着可能な程度に接着することにより、前記外蓋の剥離時に、前記切込み線の内部領域たる内蓋が、包装材との連設部分を残して、外蓋とともに包装材から引き剥がされ、その後に被包装物取り出し用の開口が形成されるようにした密封包装体が開示されている。
【０００４】
このような再封性を有する包装袋では、包装材の上片に切込み線を付設させ、かつその上面に、Ｕ字状の切込み線より大寸の開口が形成された硬質シートを固着し、さらにその上方より、前記開口を覆う寸法のシート状外蓋を、粘着剤などの接着剤で接着しているので、シート状外蓋を捲るだけで開口部を露出させることができるが、貫通して通気できる切込み線部分をシート状外蓋で覆っているだけなので、開封前の密封性が低い。このため、使用開始前の被包装物の品質保持性が低い。
【０００５】
公知文献を以下に示す。
【先行技術文献】
【特許文献】
【０００６】
【特許文献１】特開平６−４８４７５号公報
【発明の概要】
【発明が解決しようとする課題】
【０００７】
本発明は上記のような事情に鑑みてなされたもので、使用開始前の被包装物の品質保持性の高い再封性を有する包装袋を提供することを課題としている。
【課題を解決するための手段】
【０００８】
本発明は係る課題に鑑みなされたものであり、請求項１の発明は、表フィルムと裏フィルムを重ね合わせ、周縁部をシールした袋本体に袋側易切断線を設け、表フィルムと裏フィルムのいずれか一方には、前記袋側易切断線にかかるように易剥離加工部を設け、前記易剥離加工部の上方から前記袋側易切断線をはさんで前記易剥離加工部の下方に渡るように粘着ラベルを貼着し、
前記粘着ラベルには、ラベル側易切断線が前記袋側易切断線より上方で且つ前記易剥離加工部に重なるように設けられていることを特徴とする再封性を有する包装袋である。
【０００９】
本発明の請求項２の発明は、前記袋側易切断線が、袋本体の天シール部と略平行に設け
られていることを特徴とする請求項１に記載の再封性を有する包装袋である。
【００１０】
本発明の請求項３の発明は、前記袋側易切断線が、袋本体の左サイドシール部または右サイドシール部から天シール部を結ぶように設けられていることを特徴とする請求項１に記載の再封性を有する包装袋である。
【００１１】
本発明の請求項４の発明は、前記粘着ラベルの幅が前記包装袋の幅より狭いことを特徴とする請求項１に記載の再封性を有する包装袋である。
【発明の効果】
【００１２】
本発明の再封性を有する包装袋は、貫通する切込み線が設けられておらず、袋側易切断線が設けられているので、密封性があり、使用開始前の被包装物の品質保持性が高い。
【００１３】
そして、袋本体の袋側易切断線を破断して開封すると、粘着ラベルはラベル側易切断線で切断され、袋本体の開口部より、上方に突き出して粘着ラベルが残るので、上方に突き出した粘着ラベルを開口部を覆うように折り返して反対側のフィルムに貼着し、再封することができる。あるいは、袋本体を開口部が下に向くように粘着ラベルと反対側に折り返して、上方に突き出している粘着ラベルで貼って止め、再封させることもできる。
【００１４】
また、粘着ラベルの幅が包装袋の幅より狭いので、袋本体の袋側易切断線を破断していくと、それに追随するように、ラベル側易切断線を切断することができる。
【図面の簡単な説明】
【００１５】
【図１】本発明の再封性を有する包装袋の一例を模式的に示した説明図である。
【図２】図１のＸ−Ｘ断面図である。
【図３】本発明の再封性を有する包装袋の一例で易切断線を切断し開口した状態を模式的に示した説明図である。
【図４】図３のＹ−Ｙ断面図である。
【図５】本発明の再封性を有する包装袋の一例の再封した状態を模式的に示した説明図である。
【図６】本発明の再封性を有する包装袋の一例の再封した他の状態を模式的に示した説明図である。
【図７】本発明の再封性を有する包装袋の一例の製造方法を模式的に断面で示した説明図である。
【図８】本発明の再封性を有する包装袋の他の一例を模式的に示した説明図である。
【図９】本発明の再封性を有する包装袋の他の一例で易切断線を切断し開口した状態を模式的に示した説明図である。
【発明を実施するための形態】
【００１６】
以下、本発明を実施するための形態について説明する。
【００１７】
＜第１の実施形態＞
本例の再封性を有する包装袋は、袋本体と粘着ラベルからなっていて、図１の説明図（上下中間部を一部省略）、および、図１のＸ−Ｘ断面図である図２に示すように、袋本体が、表フィルム１と裏フィルム２を重ね合わせ、周縁部をシールし、天シール部３、左サイドシール部４、右サイドシール部５、地シール部６を設けて形成されている。
【００１８】
天シール部３の下方に略平行な袋側易切断線７、７が表フィルム１と裏フィルム２の略同じ位置に設けられている。表フィルム１および裏フィルム２は基材フィルムとシーラントフィルムからなり、袋側易切断線７はシーラントフィルムを切断してしまわないように
、基材フィルムの少なくとも一部を切断するようにハーフカット線で設けられている。そのため、袋側易切断線７はレーザー加工により設けられるか、あるいは、半抜き加工などで設けられている。
【００１９】
袋本体には、袋側易切断線７にかかるように易剥離加工部８が設けられている。そして、易剥離加工部８の上方から下方に渡るように、ラベル基材９１に粘着剤層９２の設けられた粘着ラベル９が貼着されている。
【００２０】
そして、粘着ラベル９のラベル基材９１の少なくとも一部切断したラベル側易切断線１０が、袋側易切断線７より上方で且つ易剥離加工部８に重なるように設けられている。なお、粘着ラベル９の幅は袋本体の幅より狭くなっている。
【００２１】
易剥離加工部８は、粘着ラベル９の粘着剤層９２がくっつきにくくなるように加工されている。例えば、シリコーン樹脂あるいは変性シリコーン樹脂や、シリコーンを添加した合成樹脂をワニスとして塗布して設けることができる。また、また、剥離テープ基材に手付して、剥離テープとして貼り付けて設けてもよい。このときは、剥離テープ基材には、薄紙のような切れやすい基材を用いる必要がある。
【００２２】
粘着ラベル９のラベル基材９１には紙や樹脂フィルムが好ましく用いられる。樹脂フィルムとしては、熱可塑性樹脂の２軸延伸フィルムが好ましく用いることができる。
【００２３】
また、粘着剤層９２としては、例えば、ゴム質共重合体と粘着付与剤の混合物を用いることができる。ゴム質共重合体として、スチレンブロックを含有するコム質ブロック共重合体やエチレンを必須成分として得られたゴム質共重合体などを用いることができ、粘着付与剤としては、ロジン樹脂、テンペン樹脂、石油樹脂のいずれか、またはその組み合わせたものを使用することができる。
【００２４】
ラベル側易切断線１０は、粘着ラベル９のラベル基材９１の一部を切断して設けられていてもよいが、ラベル基材９１が略切断されていて、粘着剤層９２が切断されずにいるのが好ましい。ラベル側易切断線１０もハーフカット線でなり、レーザー加工により設けられるか、あるいは、半抜き加工などで設けられる。
【００２５】
このようになっていれば、袋本体を袋側易切断線７で破断していくときに、容易にラベル基材９１がラベル側易切断線１０で破断され、上下に分離され、粘着ラベル９の残った下部が、図３の説明図、図３のＹ−Ｙ断面図である図４のように、袋側易切断線７で破断されて開封された袋本体の開口部の上部に突き出て残る。
【００２６】
このように、粘着ラベル９が、袋本体の開口部の上部に突き出て残るので、本例の再封性を有する包装袋を再封するには、図５の断面図のように、突き出ている粘着ラベル９を開口部が覆われるように折り返して、裏フィルム２の面に接着させ再封することができる。
【００２７】
また、袋本体を開口部の下方で折り返して、図６のように、突き出ている粘着ラベル９を裏フィルム２の面に接着させ再封することもできる。
【００２８】
本例の再封性を有する包装袋の表フィルム１および裏フィルム２は、前述のように、基材フィルムとシーラントフィルムが積層された積層フィルムからなっている。基材フィルムとシーラントフィルムの間に中間フィルムが設けられていてもよい。
【００２９】
基材フィルムには、ポリエチレンテレフタレート、ナイロン、ポリプロピレンなどの樹
脂の延伸フィルムが好ましく用いられる。また、これらのフィルムにアルミナやシリカなどの無機酸化物の蒸着層を設けた蒸着フィルムを用いてもよい。
【００３０】
基材フィルムの裏面に絵柄印刷層を設けてもよい。絵柄印刷層は、ウレタン系インキなどを用いたグラビア印刷、あるいはフレキソ印刷、インクジェット印刷などの印刷方法によって設けることができる。
【００３１】
シーラントフィルムには、低密度ポリエチレンや直鎖状低密度ポリエチレンなどのポリエチレン系フィルムや、ポリプロピレン系フィルムなどの熱可塑性樹脂フィルムが用いられる。
【００３２】
また、中間フィルムを用いる場合、中間フィルムとしては、ナイロンの延伸あるいは未延伸のフィルムを用いることができる。また、ポリエチレンテレフタレート、ナイロン、エチレン−ビニルアルコール共重合体などの延伸フィルムにアルミナ、シリカなどの無機酸化物、あるいはアルミニウムなどの金属の蒸着層を設けた蒸着フィルムを用いることもできる。
【００３３】
また、バリア性の高いメタキシレンジアミン/アジピン酸からなるいわゆるＭＸＤナイロンや、エチレン−ビニルアルコール共重合体などフィルムや、あるいは、アルミニウムなどの金属の箔を中間フィルムに用いてもよい。更には、中間フィルムをこれらのフィルムや箔を組み合わせて多層の中間フィルムとしてもよい。
【００３４】
これら、基材フィルム、シーラントフィルム、中間フィルムの積層には、２液硬化型ウレタン系接着剤などを用いてドライラミネーション法により積層することができる。また、熱可塑性樹脂を溶融して押し出し、サンドイッチラミネーション法によって積層してもよい。
【００３５】
本例の再封性を有する包装袋は、このような積層フィルムを、表フィルム１および裏フィルム２に用いて製造される。まず、袋本体として、表フィルム１と裏フィルム２をシーラントフィルム面を対向して重ね合わせ、周縁部をシールし、天シール部３、左サイドシール部４、右サイドシール部５を設ける。地シール部６は被包装物を充填する充填口としてシールせず、未シールのままにして置く。
【００３６】
そして、レーザー加工や半抜き加工によって、袋側易切断線７、７を表フィルム１と裏フィルム２に設ける。易剥離加工部８はあらかじめ積層フィルムの所定の位置に設けておいてもよいし、製袋用にスリットした表フィルム１に設けてもよいし、あるいは、製袋時に設けてもよい。
【００３７】
別途、ラベル基材９１に粘着剤層９２を設けた粘着ラベル９を用意し、袋本体の易剥離加工部８の上方から下方に渡るように貼着し、本例の再封性を有する包装袋を製造する。ラベル側易切断線１０は、図７のように、袋本体に粘着ラベル９を貼着する前に設けてもよいし、袋本体に粘着ラベル９を貼着した後で設けてもよい。
【００３８】
このように製造しておいて、未シールで残した地シール部の充填口から被包装物を充填して地シール部６をシールして、被包装物が充填された本例の再封性を有する包装袋が製造される。
【００３９】
本発明は上記とは別の実施形態とすることもできる。
＜第２の実施形態＞
本例の再封性を有する包装袋は、袋本体と粘着ラベルからなっていて、図８の説明図（
上下中間部を一部省略）に示すように、袋本体が、表フィルム１と裏フィルム２を重ね合わせ、周縁部をシールし、天シール部８３、左サイドシール部８４、右サイドシール部８５、地シール部８６を設けて形成されている。
【００４０】
袋側易切断線８７が表フィルム１と裏フィルム２の略同じ位置に設けられているが、本例では、この袋側易切断線８７は左サイドシール部８４から天シール部８３に向けて設けられている。
本例においても、表フィルム１および裏フィルム２は基材フィルムとシーラントフィルムからなり、袋側易切断線８７はシーラントフィルムを切断してしまわないように、基材フィルムの少なくとも一部を切断するようにハーフカット線で設けられている。そのため、袋側易切断線８７はレーザー加工により設けられるか、あるいは、半抜き加工などで設けられている。
【００４１】
袋本体には、袋側易切断線８７にかかるように易剥離加工部８８が設けられ、易剥離加工部の上方から袋側易切断線８７をはさんで下方に渡るように、粘着ラベル８９が貼着されている。
【００４２】
そして、粘着ラベル８９のラベル基材の少なくとも一部切断したラベル側易切断線９０が、袋側易切断線８７より上方で且つ易剥離加工部８８に重なるように設けられている。なお、粘着ラベル８９の幅は袋本体の幅より狭くなっている。
【００４３】
袋本体を袋側易切断線８７で破断していくとき、容易にラベル基材がラベル側易切断線９０で破断され、上下に分離され、粘着ラベル８９の残った下部が、図９の説明図に示すように、袋側易切断線８７で破断されて開封された袋本体の開口部の上部に突き出て残る。
【００４４】
このように粘着ラベル８９が袋本体の開口部の上部に突き出て残るので、本例の再封性を有する包装袋を再封するには、突き出ている粘着ラベル８９を開口部が覆われるように折り返して、裏フィルム２の面に接着させ再封することができる。
【００４５】
以上の実施形態で示したように、本発明の再封性を有する包装袋は、貫通する切込み線が設けられていないので、密封性があり、使用開始前の被包装物の品質保持性が高い。そして、袋本体の袋側易切断線を破断して開封すると、粘着ラベルはラベル側易切断線で切断され、袋本体の開口部より、上方に突き出して粘着ラベルが残るので、上方に突き出した粘着ラベルを開口部を覆うように折り返して反対側のフィルムに貼着し、再封することができる。あるいは、袋本体の開口部を下に向くように粘着ラベルと反対側に折り返して、上方に突き出している粘着ラベルを反対側のフィルムに貼って止め、再封させることもできる。
【符号の説明】
【００４６】
１・・・表フィルム
２・・・裏フィルム
３、８３・・・天シール部
４、８４・・・左サイドシール部
５、８５・・・右サイドシール部
６、８６・・・地シール部
７、８７・・・袋側易切断線
８、８８・・・易剥離加工部
９、８９・・・粘着ラベル
１０、９０・・・ラベル側易切断線
９１・・・ラベル基材
９２・・・粘着剤層
【図１】
2017077913.tif 000003
【図２】
2017077913.tif 000004
【図３】
2017077913.tif 000005
【図４】
2017077913.tif 000006
【図５】
2017077913.tif 000007
【図６】
2017077913.tif 000008
【図７】
2017077913.tif 000009
【図８】
2017077913.tif 000010
【図９】
2017077913.tif 000011